(57)【要約】      （修正有）【課題】使用者が立ったままの姿勢で容易に操作できドアを確実に固定可能なドアストッパーを提供する。【解決手段】ドアストッパー１は、天板１１と、天板１１の下方に配置した底板１２を、対応する一端側で連結し、他端側を開閉可能に構成してなる、本体部１０と、天板１１と底板１２の間に介挿した弾性体３０と、底板１２の上面から立設する支柱２０と、を備え、弾性体３０によって、天板１１を上方に弾性付勢可能に構成した。【選択図】図１
0003225435.tif 000002
【実用新案登録請求の範囲】
【請求項１】
天板と、前記天板の下方に配置した底板を、対応する一端側で連結し、他端側を開閉可能に構成してなる、本体部と、
前記天板と前記底板の間に介挿した、弾性体と、
前記底板の上面から立設する、支柱と、を備え、
前記弾性体によって、前記天板を上方に弾性付勢可能に構成したことを特徴とする、
ドアストッパー。
【請求項２】
前記天板が、上下面を連通する挿通孔を有し、前記支柱が、前記弾性体の内部を通過して上方へ延在することを特徴とする、請求項１に記載のドアストッパー。
【請求項３】
前記弾性体が、コイルばねであって、前記支柱を前記コイルばねの内空に連通したことを特徴とする、請求項２に記載のドアストッパー。
【請求項４】
前記天板の上面に係止突起を有し、前記係止突起が、前記挿通孔より前記底板との連結端側に位置することを特徴とする、請求項２又は３に記載のドアストッパー。
【請求項５】
前記支柱の上端部に、把持部を付設したことを特徴とする、請求項１乃至４のいずれか一項に記載のドアストッパー。
【請求項６】
前記底板の底面から前記把持部の上部までの距離が、６０ｃｍ〜８０ｃｍの範囲にあることを特徴とする、請求項５に記載のドアストッパー。
【請求項７】
前記把持部が、球状体であることを特徴とする、請求項５又は６に記載のドアストッパー。
【請求項８】
前記把持部に、物品を掛けるための掛止構造を設けたことを特徴とする、請求項５乃至７のいずれか一項に記載のドアストッパー。
【請求項９】
前記天板の上面及び／又は前記底板の底面に、滑り止め加工を施したことを特徴とする、請求項１乃至８のいずれか一項に記載のドアストッパー。
【考案の詳細な説明】
【技術分野】
【０００１】
本考案はドアストッパーに関し、特に使用者が立ったままの姿勢で容易に操作でき、ドアを確実に固定可能なドアストッパーに関する。
【背景技術】
【０００２】
従来技術のドアストッパーの代表的なものは、合成樹脂製の楔体からなり、開いたドアの下縁と床面との間に楔体の鋭角部を押し込むことで、楔作用によってドアの移動を防止する。従来技術にかかるドアストッパーには、例えば特許文献１〜８のようなものがある。
ドアストッパーの使用時には、ドアを開放した状態でドアの手前に屈み、片手でドアを抑えながら、反対の手でドアの下端と床面の間にドアストッパーを押し込んでドアを留める。
【先行技術文献】
【特許文献】
【０００３】
【特許文献１】特開２００１−３２６０４号公報
【特許文献２】特開２００８−１１５５７３号公報
【特許文献３】特開２００８−２６７０９４号公報
【特許文献４】特開２０１８−３５５２３号公報
【特許文献５】実用新案登録第３００３０３１号公報
【特許文献６】実用新案登録第３０３３３５６号号公報
【特許文献７】実用新案登録第３２０９０８５号号公報
【特許文献８】実開平２−２５６６８号公報
【考案の概要】
【考案が解決しようとする課題】
【０００４】
従来技術には以下の問題点がある。
＜１＞ドア下に手で押し込む際に身を屈めるため、使用者の腰に負担がかかる。例えばホテルの清掃では、客室のドアごとに腰の曲げ伸ばしの繰り返しになるため、作業員の肉体的負担が非常に大きい。
＜２＞靴の爪先でドア下に押し込むこともできるが、形状が不安定なため横向きに倒れやすく、また鋭角部をドア面に対して垂直方向に向けるのが難しい。
＜３＞ドアを確実に固定するには、楔体をドア下に強く押し込む必要がある。身体を屈め、片手でドアを押さえた不自然な体勢でこの作業を行うのは難しく、ドアの確実な固定が難しい。
＜４＞床に置かれ、時に靴で押し込まれる物を手で掴んで扱うため、不衛生である。また、床に屈み込む際に手や膝が床について汚れることがある。
＜５＞小型で足元に置かれるため、紛失しやすく、盗難されやすい。
【０００５】
本考案の目的は、以上のような問題点を解決できるドアストッパーを提供することにある。
【課題を解決するための手段】
【０００６】
本考案のドアストッパーは、上下面を連通する挿通孔を有する天板と、天板の下方に配置した底板を、対応する一端側で連結し、他端側を開閉可能に構成してなる、本体部と、天板と底板の間に介挿した、弾性体と、底板の上面から立設し、挿通孔を通過して天板の上方へ延在する、支柱と、を備え、弾性体によって、天板を上方に弾性付勢可能に構成したことを特徴とする。
【０００７】
本考案のドアストッパーは、天板が、上下面を連通する挿通孔を有し、支柱が、弾性体の内部を通過して上方へ延在していてもよい。
【０００８】
本考案のドアストッパーは、弾性体が、コイルばねであって、支柱をコイルばねの内空に連通してもよい。
【０００９】
本考案のドアストッパーは、天板の上面に係止突起を有し、係止突起が、挿通孔より底板との連結端側に位置してもよい。
【００１０】
本考案のドアストッパーは、支柱の上端部に、把持部を付設してもよい。
【００１１】
本考案のドアストッパーは、底板の底面から把持部の上部までの距離が、６０ｃｍ〜８０ｃｍの範囲にあってもよい。
【００１２】
本考案のドアストッパーは、把持部が、球状体であってもよい。
【００１３】
本考案のドアストッパーは、把持部に、物品を掛けるための掛止構造を設けてもよい。
【００１４】
本考案のドアストッパーは、天板の上面及び／又は底板の底面に、滑り止め加工を施してもよい。
【考案の効果】
【００１５】
本考案のドアストッパーは、上記の構成により次の効果のうち少なくとも一つを備える。
＜１＞支柱の上部を掴むことで、身を屈めることなく立ったまま操作できる。このため、自然な体勢で容易にドアを固定でき、使用者の肉体的負担を解消することができる。
＜２＞片手で支柱を操作してドア下に本体部の先端を差し込み、反対の手でドアを軽く手前に引くことで、ドアの下端を天板上に乗り上げさせ、容易かつ確実にドアを固定することができる。
＜３＞立ったまま手で操作できるため、衛生的である。
＜４＞場所をとらずに立てた状態で保管できる。また、支柱に一定の長さがあるため、紛失しにくく、盗難されにくい。
【図面の簡単な説明】
【００１６】
【図１】本考案のドアストッパーの説明図。
【図２】ドアストッパーの使用方法の説明図。
【図３】ドアストッパーの使用方法の説明図。
【図４】実施例２の説明図。
【図５】実施例３の説明図。
【図６】実施例４の説明図。
【図７】実施例５の説明図。
【考案を実施するための形態】
【００１７】
以下、図面を参照しながら本考案のドアストッパーについて詳細に説明する。
【実施例１】
【００１８】
[ドアストッパー]
＜１＞全体の構成（図１）。
本考案のドアストッパー１は、ドアＡを開放した状態に固定するための装置である。
ドアストッパー１は、本体部１０と、支柱２０と、弾性体３０と、を少なくとも備える。本例では、更に把持部４０を備える。
支柱２０は、本体部１０の底板１２上から上方に立設する。
弾性体３０は、本体部１０の天板１１と底板１２の間に介挿される。
把持部４０は、支柱２０の上端部に付設する。
本考案のドアストッパー１は、支柱２０を備える長尺構造と、本体部１０の弾性構造の組み合わせにより、使用者が立ったままの姿勢で操作でき、容易かつ確実にドアＡを固定できる点に特徴を有する。
【００１９】
＜２＞本体部。
本体部１０は、ドアＡを下方から押し上げる部材である。
本体部１０は、天板１１と底板１２を対応する一側端（接合端）で連結し、他端（開閉端）側を開閉可能に構成してなり、側面視倒Ｖ字形状又は側面視倒Ｙ字形状を呈する。
本例では、天板１１が底板１２に対して上方への形状弾性を有する、板バネ構造とする。ただしこれに限らず、本体部１０自体の形状弾性を有さない蝶番構造であってもよい。
本例では、本体部１０として２枚の鋼板の組み合わせ構造を採用する。ただしこれに限らず、プラスチック、繊維強化プラスチック（ＦＲＰ）等の合成樹脂製であってもよい。
【００２０】
＜２．１＞天板。
天板１１は、本体部１０の構成要素であって、使用時にドアＡの下端を押し上げる部材である。
本例では天板１１として、先端角部を面取りした長方形の鋼板を採用する。ただしこれに限らず、正方形、その他の多角形、円形等の面材を採用してもよい。
天板１１は、開閉端側が底板１２との接合端側に対して上面方向に曲折し、板バネ状の形状弾性を有する。
天板１１の開閉端側には、上下面を連通する挿通孔１１ａを穿設する。
挿通孔１１ａは、支柱２０の通過を許容するように、天板１１の長手方向に広い長孔とし、挿通孔１１ａの幅を支柱２０の外径より大きくする。
本例では、天板１１の上面に係止突起１１ｂを突設する。
係止突起１１ｂは、挿通孔１１ａより底板１２との接合端側に位置する。
【００２１】
＜２．２＞底板。
底板１２は、本体部１０の構成要素であって、使用時に床面に接する部材である。
本例では底板１２として、先端角部を面取りした長方形の鋼板を採用する。ただしこれに限らず、正方形、その他の多角形、円形等の面材を採用してもよい。
底板１２の開閉端側の上面から、支柱２０が立設する。
【００２２】
＜３＞支柱。
支柱２０は、本体部１０を操作するための部材である。
本例では支柱２０として、断面円形の鋼棒を採用する。
ただしこれに限らず、プラスチック、繊維強化プラスチック（ＦＲＰ）等の合成樹脂製等であってもよい。また、断面形状を三角形、四角形等の多角形状や、楕円形状等としてもよい。
支柱２０は、底板１２の上面から立設し、挿通孔１１ａを通過して天板１１の上方へ延在する。本例では支柱２０が、挿通孔１１ａと、弾性体３０の内部とを連通する。
本例では、支柱２０の上端部に把持部４０を付設する。
支柱２０の長さは、使用者が立って脇に手を垂らした状態から、把持部４０を掴んで容易に操作できる程度の長さとするのが望ましい。具体的には底板１２の下面から把持部４０の上部までの長さを、４０ｃｍ〜１００ｃｍ程度、好ましくは６０ｃｍ〜８０ｃｍ程度とするとよい。
【００２３】
＜４＞弾性体。
弾性体３０は、天板１１を上方に弾性付勢するための部材である。
弾性体３０は、本体部１０の天板１１と底板１２の間に介挿する。
本例では弾性体３０として、支柱２０に外挿したコイル状の圧縮ばねを採用する。ただしこれに限らず、天板１１と底板１２の接合部に配置したトーションばねを採用してもよい。または、圧縮弾性を有するクッション材を配置してもよい（図４）。あるいは、コイル状の圧縮バネを支柱２０に外挿させずに配置してもよい。
弾性体３０の高さは、天板１１と底板１２の間隔に対応させる。
【００２４】
＜５＞把持部。
把持部４０は、ドアストッパー１を掴むための部材である。
把持部４０は、支柱２０の上端部に付設する。
本例では把持部４０として、合成樹脂製の球状体を採用する。球状体は使用者が握りやすく、またドアＡの表面にぶつけても疵をつけにくい。
ただし把持部４０はこれに限らず、使用者が掴んで操作することさえできれば、いかなる形状、構造であってもよい。
【００２５】
＜６＞使用方法。
本考案のドアストッパー１の使用方法について説明する。
ドアＡを開けた状態で、把持部４０（把持部４０を設けない場合には支柱２０の上部）を持って、ドアＡと床面との間に、本体部１０の接合端を差し入れる（図２）。
この状態では、本体部１０の天板１１がドアＡの下端縁に斜めに接し、本体部１０の開閉端は開いた状態である（図３（ａ））。
続いて、把持部４０を介して片手で本体部１０の位置を固定したまま、反対の手でドアＡを軽く手前に引く。すると、ドアＡが天板１１の上面に乗り上げ、天板１１が下方に押下げられることによる弾性体３０の弾性反力によって、ドアＡが確実に固定される（図３（ｂ））。
この際、ドアＡの下縁が、天板１１の係止突起１１ｂに当接することで、ドアＡが把持部４０や支柱２０に接触するのを防ぐことができる。
また、足で天板１１を軽く踏み弾性体３０を押下げながら、ドアＡを引くか、本体部１０をドアＡ下に押し込んでドアＡを固定してもよい。このように本体部１０を靴で操作しても、本体部１０を手で触れる必要がないので衛生的である。
【実施例２】
【００２６】
[挿通孔を有さない実施例]
本体部１０の天板１１は、挿通孔１１ａを有していなくてもよい（図４）。
この場合、底板１２の先端を天板１１の先端より突出させ、該突出部から支柱２０を立ち上げることで、天板１１と支柱２０が干渉しないように構成する。
あるいは、底板１２の先端を天板１１より上方に立ち上げて立設部１２ａを構成し、立設部１２ａ上から支柱２０を立ち上げてもよい。
【実施例３】
【００２７】
[掛止構造を有する実施例]
本例では、把持部４０に係止構造４１を設ける。
係止構造４１は、鍵Ｋや靴べらＳを掛けるための構造である。
例えば、把持部４０として金属または樹脂等で構成した動物（カエル、ネコ、パンダなど）の頭部をデザインした部材を採用し、係止構造４１として頭部を貫通した口部、頭部から上方に突起した目・耳部を採用する（図５）。
この場合、口部に靴べらＳの取っ手を引っ掛けて保持したり、目・耳部に鍵Ｋを引っ掛けて保持することができる。
以上の構造により、ドアストッパー１を、同時に靴べらホルダー、キーホルダー、又は荷物掛け等の様々な用途に兼用することができる。
【実施例４】
【００２８】
[本体部に滑り止め加工を施した実施例]
本例では、本体部１０に滑り止め加工を施す。
滑り止め加工は、天板１１の上面及び底板１２の底面の少なくとも一方に施す。ここで滑り止め加工とは、天板１１の上面等を表面処理することの他、滑り止めシートを貼ること、ゴム被覆すること等を含む。
表面処理の例としては、例えば、平面綾目加工、エンボス加工、平面平目加工等がある（図６）。
【実施例５】
【００２９】
[把持部の他の実施例]
実施例１の把持部４０は球体であったがこれに限られず、把持部４０として他の様々な形状又は構造を採用することができる。
例えば、円筒形、円錐形、角柱形等の幾何学形状、ハート形、人形型等の装飾的形状、握り部を設けた形状、看板型の形状等を採用してもよい（図７）。要は、把持部４０を掴んで本体部１０をドアＡの下部に挿入可能な形状又は構造であればよい。
【符号の説明】
【００３０】
１  ドアストッパー
１０  本体部
１１  天板
１１ａ  挿通孔
１１ｂ  係止突起
１２  底板
１２ａ  立設部
２０  支柱
３０  弾性体
４０  把持部
４１  掛止構造
Ａ  ドア
Ｋ  鍵
Ｓ  靴べら
【図１】
0003225435.tif 000003
【図２】
0003225435.tif 000004
【図３】
0003225435.tif 000005
【図４】
0003225435.tif 000006
【図５】
0003225435.tif 000007
【図６】
0003225435.tif 000008
【図７】
0003225435.tif 000009
【手続補正書】
【提出日】令和1年12月25日(2019.12.25)
【手続補正１】
【補正対象書類名】実用新案登録請求の範囲
【補正対象項目名】全文
【補正方法】変更
【補正の内容】
【実用新案登録請求の範囲】
【請求項１】
天板と、前記天板の下方に配置した底板を、対応する一端側で連結し、他端側を開閉可能に構成してなる、本体部と、
前記天板と前記底板の間に介挿した、弾性体と、
前記底板の上面から立設する、支柱と、を備え、
前記弾性体によって、前記天板を上方に弾性付勢可能に構成したことを特徴とする、
ドアストッパー。
【請求項２】
前記天板が、上下面を連通する挿通孔を有し、前記支柱が、前記弾性体の内部を通過して上方へ延在することを特徴とする、請求項１に記載のドアストッパー。
【請求項３】
前記弾性体が、コイルばねであって、前記支柱を前記コイルばねの内空に連通したことを特徴とする、請求項２に記載のドアストッパー。
【請求項４】
前記天板の上面に係止突起を有し、前記係止突起が、前記挿通孔より前記底板との連結端側に位置することを特徴とする、請求項２又は３に記載のドアストッパー。
【請求項５】
前記支柱の上端部に、把持部を付設したことを特徴とする、請求項１乃至４のいずれか一項に記載のドアストッパー。
【請求項６】
前記底板の底面から前記把持部の上部までの距離が、６０ｃｍ〜８０ｃｍの範囲にあることを特徴とする、請求項５に記載のドアストッパー。
【請求項７】
前記把持部が、球状体であることを特徴とする、請求項５又は６に記載のドアストッパー。
【請求項８】
前記把持部に、物品を掛けるための掛止構造を設けたことを特徴とする、請求項５乃至７のいずれか一項に記載のドアストッパー。
【請求項９】
前記天板の上面及び／又は前記底板の底面に、平面綾目加工、エンボス加工、平面平目加工、又はゴム被覆を施した構造であることを特徴とする、請求項１乃至８のいずれか一項に記載のドアストッパー。